(57)【要約】【課題】玄関等に設置した屋外機で訪問者等が自己の録音内容を確認可能なインターホン装置を提供する。【解決手段】屋内機４１と前記屋内機４１に接続された屋外機１１を備え、前記屋外機１１からの音声を録音し、前記屋内機４１の操作で再生可能なインターホン装置において、前記屋外機１１には、録音を開始するための録音開始スイッチ１５と、録音音声を再生開始するための再生スイッチ１６と、再生音の発声部１３とを設けて、前記録音音声を前記屋外機１１で試聴可能にした。さらには、屋外機１１には上書き再録音開始スイッチ１７を設けて録音のやり直しを可能にしたり、あるいは録音を確定する録音音声確定スイッチ１８を設けたりしてもよい。【選択図】        図１
2006229272.tif 000002
【特許請求の範囲】
【請求項１】
屋内機と前記屋内機に接続された屋外機を備え、前記屋外機からの音声を録音し、前記屋内機で再生可能なインターホン装置において、
録音音声を再生開始するための再生スイッチと再生音の発声部とを前記屋外機に設けて、前記録音音声を前記屋外機で試聴可能としたことを特徴とするインターホン装置。
【請求項２】
前記屋外機からの上書き再録音を可能にするための上書き再録音開始手段と、前記上書き再録音を不可能にして録音音声を確定する録音音声確定手段とを備えることを特徴とする請求項１に記載のインターホン装置。
【請求項３】
前記屋外機は、前記上書き再録音を開始するための上書き再録音開始スイッチを備えることを特徴とする請求項２に記載のインターホン装置。
【請求項４】
前記屋外機には録音開始スイッチを備え、前記上書き再録音開始手段は、前記録音開始スイッチの操作後所定時間以内に前記録音開始スイッチが再度操作されることにより、前記上書き再録音を開始することを特徴とする請求項２に記載のインターホン装置。
【請求項５】
前記屋外機は、前記録音音声を確定するための録音音声確定スイッチを備えることを特徴とする請求項２から４の何れか一項に記載のインターホン装置。
【請求項６】
前記録音あるいは上書き再録音終了後または屋外機で再生終了後、上書き再録音を開始することなく所定時間経過することにより、前記録音音声確定手段がその後の前記上書き再録音を不可能にして録音音声を確定することを特徴とする請求項２から４の何れか一項に記載のインターホン装置。
【請求項７】
前記屋外機の再生スイッチによる試聴を、前記再生スイッチの操作時以前の予め設定された試聴可能期間内に録音された音声についてのみ可能にし、前記試聴可能期間外に録音された音声については不可能にする屋外機再生禁止手段を備えたことを特徴とする請求項１から６の何れか一項に記載のインターホン装置。
【請求項８】
前記屋外機の再生スイッチによる試聴を、前記確定された録音音声については不可能にする屋外機再生禁止手段を備えたことを特徴とする請求項１から６の何れか一項に記載のインターホン装置。
【発明の詳細な説明】
【技術分野】
【０００１】
本発明は、屋外機からの音声を録音可能なインターホン装置に関する。
【背景技術】
【０００２】
従来、玄関等に設置した屋外機からの音声を録音し、屋内機で再生可能にしたインターホン装置がある。このようなインターホン装置においては、住宅等に家人が不在等の場合に、来訪者の伝言を録音し、屋内機で後から聞くことができるため、便利である。
【０００３】
しかし、従来のインターホン装置においては、録音者が自己の録音内容を屋外機で確認できないため、正しく録音できたか不安に感じることがある。
【特許文献１】特開平５−２７６２５７号公報
【発明の開示】
【発明が解決しようとする課題】
【０００４】
本発明は、前記の点に鑑みなされたものであって、玄関等に設置した屋外機で訪問者等が自己の録音内容を確認可能なインターホン装置の提供を目的とする。
【課題を解決するための手段】
【０００５】
請求項１の発明は、屋内機と前記屋内機に接続された屋外機を備え、前記屋外機からの音声を録音し、前記屋内機で再生可能なインターホン装置において、録音音声を再生開始するための再生スイッチと再生音の発声部とを前記屋外機に設けて、前記録音音声を前記屋外機で試聴可能としたことを特徴とする。
【０００６】
請求項２の発明は、請求項１において、前記屋外機からの上書き再録音を可能にするための上書き再録音開始手段と、前記上書き再録音を不可能にして録音音声を確定する録音音声確定手段とを備えることを特徴とする。
【０００７】
請求項３の発明は、請求項２において、前記屋外機が、前記上書き再録音を開始するための上書き再録音開始スイッチを備えることを特徴とする。
【０００８】
請求項４の発明は、請求項２において、前記屋外機には録音開始スイッチを備え、前記上書き再録音開始手段は、前記録音開始スイッチの操作後所定時間以内に前記録音開始スイッチが再度操作されることにより、前記上書き再録音を開始することを特徴とする。
【０００９】
請求項５の発明は、請求項２から４の何れか一項において、前記屋外機が、前記録音音声を確定するための録音音声確定スイッチを備えることを特徴とする。
【００１０】
請求項６の発明は、請求項２から４の何れか一項において、前記録音あるいは上書き再録音終了後または屋外機で再生終了後、上書き再録音を開始することなく所定時間経過することにより、前記録音音声確定手段がその後の前記上書き再録音を不可能にして録音音声を確定することを特徴とする。
【００１１】
請求項７の発明は、請求項１から６の何れか一項において、前記屋外機の再生スイッチによる試聴を、前記再生スイッチの操作時以前の予め設定された試聴可能期間内に録音された音声についてのみ可能にし、前記試聴可能期間外に録音された音声については不可能にする屋外機再生禁止手段を備えたことを特徴とする。
【００１２】
請求項８の発明は、請求項１から６の何れか一項において、前記屋外機の再生スイッチによる試聴を、前記確定された録音音声については不可能にする屋外機再生禁止手段を備えたことを特徴とする。
【発明の効果】
【００１３】
請求項１の発明によれば、屋内機と前記屋内機に接続された屋外機を備え、前記屋外機からの音声を録音し、前記屋内機で再生可能なインターホン装置において、録音音声を再生開始するための再生スイッチと再生音の発声部とを前記屋外機に設けて、前記録音音声を前記屋外機で試聴可能としたことにより、屋外機から自己の録音内容を確認でき、録音者の不安感を無くすことができる。
【００１４】
請求項２の発明によれば、屋外機からの上書き再録音を可能にするための上書き再録音開始手段と、前記上書き再録音を不可能にして録音音声を確定する録音音声確定手段とを備えることにより、言い忘れや録音の失敗等があった場合に、録音のやり直しができ、また、その後に録音内容が変更されるのを防ぐことができるため、便利である。
【００１５】
請求項３の発明によれば、屋外機が上書き再録音開始スイッチを備えることにより、来訪者等は屋外機の操作によって上書き再録音することができるため、便利である。
【００１６】
請求項４の発明によれば、屋外機には録音開始スイッチを備え、上書き再録音開始手段が、録音開始スイッチの操作後所定時間以内に前記録音開始スイッチが再度操作されることにより、前記上書き再録音を開始する構成としたため、屋外機に上書き再録音開始スイッチを設ける必要が無くなり、屋外機をコンパクトにすることができる。
【００１７】
請求項５の発明によれば、屋外機に録音音声を確定するための録音音声確定スイッチを備える構成としたため、来訪者等は上書き再録音の必要が無い場合、速やかに録音音声を確定することができ、便利である。
【００１８】
請求項６の発明によれば、録音あるいは上書き再録音終了後または屋外機で再生終了後、上書き再録音を開始することなく所定時間経過することにより、録音音声確定手段がその後の上書き再録音を不可能にして録音音声を確定する構成としたことにより、来訪者は、屋外機で特別の操作をすることなく録音音声を確定することができ、便利である。しかも、屋外機には上書き再録音開始スイッチを設ける必要が無くなり、屋外機をコンパクトにすることができる。
【００１９】
請求項７の発明によれば、屋外機の再生スイッチによる試聴を、前記再生スイッチの操作時以前の予め設定された試聴可能期間内に録音された音声についてのみ可能にし、前記試聴可能期間外に録音された音声については不可能にする屋外機再生禁止手段を備えた構成としたことにより、先の来訪者等が録音した内容がその後の来訪者等に聞かれるのを防止することができる。
【００２０】
請求項８の発明によれば、屋外機の再生スイッチによる試聴を、確定された録音音声については不可能にする屋外機再生禁止手段を備えた構成としたことにより、先の来訪者等が録音した内容が次の来訪者等に聞かれるのを確実に防止することができる。
【発明を実施するための最良の形態】
【００２１】
以下この発明の実施形態を説明する。図１は本発明の第一実施形態に係るインターホン装置の概略を示すブロック図、図２は第二実施形態に係るインターホン装置の概略を示すブロック図、図３は第三実施形態に係るインターホン装置の概略を示すブロック図、図４は第四実施形態に係るインターホン装置の概略を示すブロック図である。なお、各実施形態間において同一名称の構成については、特に区別が必要な場合を除き同一の符号で示す。
【００２２】
図１に示す第一実施形態のインターホン装置１０は、玄関等に設置される屋外機１１と室内等に設置される屋内機４１を備え、前記屋外機１１と屋内機４１が接続用配線３１によって接続される有線タイプからなり、屋外機１１と屋内機４１間で通話が可能であると共に、来訪者等の伝言を屋外機１１から録音でき、さらには屋外機１１で録音音声を試聴可能なものである。
【００２３】
前記屋外機１１には、来訪者等の音声を集音するためのマイク１２と、録音音声の再生音を発するためのスピーカ１３と、来訪者等が屋内機４１を呼び出すための呼出スイッチ１４と、来訪者が録音を開始するための録音開始スイッチ１５と、来訪者が録音音声の再生を開始するための再生スイッチ１６と、来訪者が上書き再録音を開始するための上書き再録音開始スイッチ１７と、上書き再録音を不可能にして録音音声を確定する録音音声確定スイッチ１８と、前記マイク１２及び前記スピーカ１３と接続される音声用回路１９と、前記各スイッチ１４〜１８及び前記音声用回路１９と接続されて屋外機１１の処理を行う屋外機用処理回路２０とを備える。
【００２４】
前記各スイッチ１４〜１８は、本実施形態では押しボタンスイッチ等のＯＮ・ＯＦＦスイッチからなり、来訪者等が操作可能なように屋外機１１の外面に操作部が露出して設けられている。また、前記マイク１２は、来訪者等の音声を集音可能なように外方に向けて設けられている。前記スピーカ１３は、本発明における再生音の発声部に相当し、再生音を来訪者等が聞けるように外方へ向けて設けられている。なお、前記上書き再録音開始スイッチ１７は、本発明の上書き再録音開始手段に相当し、また、前記録音音声確定スイッチ１８は、本発明の録音音声確定手段に相当する。
【００２５】
それに対して前記屋内機４１には、家人等が屋外の来訪者等と通話したり録音音声を聞いたりするための受話器４２と、呼出音を発するためのスピーカ４４と、録音音声を屋内機４１側で再生開始するための再生スイッチ４５と、録音音声を消去するための消去スイッチ４６と、屋外機１１のマイク１２からの音声を録音すると共に・録音音声を再生するための録音・音声再生手段４７と、前記受話器４２と接続される音声用回路４８と、前記スピーカ４４のための呼出音声回路４９と、屋内機４１の処理を行う屋内機用処理回路５０とを備える。前記屋内機用処理回路５０は、前記再生スイッチ４５、消去スイッチ４６、録音・再生手段４７、音声用回路４８及び呼出音声回路４９と接続されている。前記インターホン１０の電源は、電灯線等の外部から供給され、図示しない電源装置によってインターホン用に変換される。
【００２６】
前記第一実施形態のインターホン１０においては、来訪者等が前記屋外機１１の呼出スイッチ１４を操作する（押す）と、前記屋内機４１のスピーカ４４が呼び出し音を発する。前記呼出後、家人等は受話器４２によって屋外機１１の訪問者等と通話することができる。その際、訪問者等による音声は屋外機１１のマイク１２を通って受話器４２から流れ、また家人等による音声は受話器４２を通って屋外機１１のスピーカ１３から流れる。
【００２７】
一方、家人の応答が無い場合、訪問者等は、前記屋外機１１の録音開始スイッチ１５を操作した（押した）後、マイク１２に向けて話すと、前記屋内機４１の録音・再生手段４７に録音される。録音後、訪問者等が、屋外機１１の再生スイッチ１６を操作する（押す）と、先ほど録音した自己の録音音声が再生されて前記屋外機１１のスピーカ１３で試聴することができる。また、試聴前あるいは試聴後、前記来訪者等が再度録音のやり直しを欲する場合、前記屋外機１１の上書き再録音開始スイッチ１７を操作する（押した）と、上書き再録音が開始され、前記屋外機１１のマイク１２に向けて再度話せば上書き録音される。その後、再度試聴を欲する場合には、前記屋外機１１の再生スイッチ１６を操作すれば再生され、前記屋外機１１のスピーカ１３で試聴することができる。また、来訪者等が、前記屋外機１１の録音音声確定スイッチ１８を操作する（押す）と、録音音声が確定されてその後の上書き再録音が不可能になる。さらに、本実施形態では、前記屋外機１１で録音音声確定スイッチ１８が操作されて録音音声が確定されると、それ以降、確定された録音音声については、屋外機１１で再生スイッチ１６を操作しても試聴できなくする、屋外機再生禁止手段を備えている。前記屋外機再生禁止手段は、前記録音音声確定スイッチ１８及び屋内機用処理回路５０が相当する。
【００２８】
なお、前記屋内機４１では、再生スイッチ４４を操作する（押す）ことにより、録音音声を再生し、屋内機４１のスピーカ４４で聞くことができる。また、録音内容を消去したい場合には屋内機４１の消去スイッチ４６を操作する（押す）ことにより、録音・再生手段４７に録音されている録音内容を消去することができる。
【００２９】
図２に示す第二実施形態のインターホン１０Ａは、屋外機１１Ａの録音開始スイッチ１５を操作して行う録音終了後、あるいは屋外機１１Ａの上書き再録音開始スイッチ１７を操作して行う上書き再録音終了後、または屋外機１１Ａの再生スイッチ１６を操作して行う再生終了後に、上書き再録音開始スイッチ１７を操作して上書き再録音を開始することなく、所定時間経過することにより、録音音声確定手段がその後の上書き再録音を不可能にして録音音声を確定する。前記所定時間は、例えば５分等、予め設定された確定用時間からなる。なお、この第二実施形態では、前記屋内機用処理回路５０が録音音声確定手段に相当する。また、その他の構成は、第一実施形態と同様である。
【００３０】
図３に示す第三実施形態のインターホン１０Ｂは、屋外機１１Ｂの録音開始スイッチ１５を操作して録音を行った後、所定時間以内に前記録音開始スイッチ１５が再度操作されることにより、上書き再録音を開始するようになっている。前記所定時間は、予め設定された上書き再録音可能時間等からなる。例えば、前記録音開始スイッチ１５の操作後１０分以内に再度録音開始スイッチ１５を操作することにより、上書き再録音が可能となる。また、この第三実施形態のインターホン１０Ｂでは、第二実施形態と同様に、屋外機１１Ｂの録音開始スイッチ１５を操作して行う録音終了後、あるいは上書き再録音終了後、または屋外機１１Ｂの再生スイッチ１６を操作して行う再生終了後に、上書き再録音を開始することなく、所定時間（前記確定用時間）経過することにより、録音音声確定手段がその後の上書き再録音を不可能にして録音音声を確定する。さらに、この第三実施形態のインターホン１０Ｂでは、屋外機再生禁止手段が、前記屋外機１１Ｂにおける再生スイッチ１５の操作による試聴を、前記再生スイッチ１５の操作時以前の予め設定された試聴可能期間内、例えば１０分以内に録音された音声についてのみ可能にし、前記試聴可能期間外に録音された音声については不可能にしている。前記屋外機再生禁止手段は、前記屋内機用処理回路５０に相当する。その他の処理は、第一実施例と同様である。
【００３１】
図４に示す第四実施例のインターホン１０Ｃは、前記屋内機用処理回路５０と接続された録音設定スイッチ５１が屋内機４１Ｃに設けられ、家人が外出する際などに前記録音設定スイッチ５１を操作する（押す）ことにより、屋外機１１Ｃからの録音が可な状態にセットされる。例えば、前記録音設定スイッチ５１の操作により録音可にセットされた後、訪問者等が屋外機１１Ｃの呼出スイッチ１４を操作すると、屋内機４１Ｃの予め録音・再生手段４７に録音されている録音開始メッセージ、例えば「録音を開始します。ピーと鳴った後に、用件をお話し下さい。」というメッセージが前記屋外機１１Ｃのスピーカ１３から流れ、その指示に従って訪問者等が用件をマイク１２に向かって話すと屋内機４１Ｃの録音・再生手段４７で録音される。なお、前記録音可にセットされた状態で録音設定スイッチ５１を押すと録音設定が解除され、前記屋外機１１Ｃからの録音が不可能になる。また、この第四実施例のインターホン１０Ｃは、第一実施例と同様に、前記屋外機１１Ｃの再生スイッチ１６を操作すると録音音声を試聴でき、一方、前記屋外機１１Ｃの上書き再録音開始スイッチ１７を押すと上書き再録音が可能となる。さらに、この第四実施形態のインターホン１０Ｃは、第二実施形態と同様に、屋外機１１Ｃの録音開始スイッチ１５を操作して行う録音終了後、あるいは上書き再録音終了後、または屋外機１１Ｂの再生スイッチ１６を操作して行う再生終了後に、上書き再録音を開始することなく、所定時間（前記確定用時間）経過することにより、録音音声確定手段がその後の上書き再録音を不可能にして録音音声を確定している。また、録音音声が確定されると、確定された録音音声については、それ以降、屋外機１１Ｃで再生スイッチ１６を操作しても試聴できなくなる。その他は、第一実施形態で説明したとおりである。
【００３２】
以上説明したように、本発明のインターホン装置によれば、録音音声を屋外機で試聴可能としたことにより、訪問者等が屋外機から自己の録音内容を確認でき、録音者の不安感を無くすことができる。
【図面の簡単な説明】
【００３３】
【図１】本発明の第一実施形態に係るインターホン装置の概略を示すブロック図である。
【図２】第二実施形態に係るインターホン装置の概略を示すブロック図である。
【図３】第三実施形態に係るインターホン装置の概略を示すブロック図である。
【図４】第四実施形態に係るインターホン装置の概略を示すブロック図である。
【符号の説明】
【００３４】
１０，１０Ａ，１０Ｂ、１０Ｃ  インターホン装置
１１，１１Ａ，１１Ｂ、１１Ｃ  屋外機
１２  屋外機用マイク
１３  屋外機用スピーカ
１４  屋外機用呼出スイッチ
１５  屋外機用録音開始スイッチ
１６  屋外機用再生スイッチ
１７  屋外機用上書き再録音開始スイッチ
１８  屋外機用録音音声確定スイッチ
１９  屋外機用音声用回路
２０  屋外機用処理回路
３１  接続用配線
４１，４１Ａ、４１Ｂ、４１Ｃ  屋内機
４２  屋内機用受話器
４４  屋内機用スピーカ
４５  屋内機用再生スイッチ
４６  屋内機用消去スイッチ
４７  屋内機用録音・再生手段
４８  屋内機用音声用回路
４９  屋内機用呼出音声回路
５０  屋内機用処理回路
５１  屋内機用録音設定スイッチ
【図１】
2006229272.tif 000003
【図２】
2006229272.tif 000004
【図３】
2006229272.tif 000005
【図４】
2006229272.tif 000006